(57)【要約】【課題】  患者に負担をかけ意識させることなく、生体情報の測定を行いながら画像撮影が可能な画像診断装置用寝台を提供する。【解決手段】  被検体が載置される天板と、この天板を駆動する駆動手段と、前記天板上に移動可能に配置され、前記被検体から受ける生体情報圧力の変動を検出するセンサユニットを備えたセンサユニット部と、前記センサユニット部のセンサユニットが検出した生体情報圧力の変動を処理する圧力信号処理手段と、この圧力信号処理手段で処理した生体情報を表示する表示手段とから成る画像診断装置用寝台。【選択図】  図１
2005143661.tif 000002
【特許請求の範囲】
【請求項１】
被検体が載置される天板と、
この天板を駆動する駆動手段と、
前記天板上に移動可能に配置され、前記被検体から受ける生体情報圧力の変動を検出するセンサユニットを備えたセンサユニット部と、
前記センサユニット部のセンサユニットが検出した生体情報圧力の変動を処理する圧力信号処理手段と、
この圧力信号処理手段で処理した生体情報を表示する表示手段と、
から成る画像診断装置用寝台。
【請求項２】
前記センサユニット部のセンサユニットは、前記天板の長手方向にほぼ直交し且つ複数個互いに離間して配置したことを特徴とする請求項１に記載の画像診断装置用寝台。
【請求項３】
前記センサユニット部のセンサユニットは、圧力変動に基づいて被検体の呼吸を測定する呼吸測定手段、心拍を測定する心拍測定手段，体動を測定する体動測定手段の少なくともいずれかを構成するものであることを特徴とする請求項１または請求項２に記載の画像診断装置用寝台。
【請求項４】
前記センサユニット部のセンサユニットは、Ｘ線透過に優れた被包材の内部に封入体を封入して構成したことを特徴とする請求項１乃至請求項３のいずれか１項に記載の画像診断装置用寝台。
【請求項５】
前記センサユニット部のセンサユニットは、その内部の封入体の温度を制御する温度制御手段を備えていることを特徴とする請求項４に記載の画像診断装置用寝台。
【発明の詳細な説明】
【技術分野】
【０００１】
本発明は、画像診断装置用寝台に係り、特に被検体に負担をかけることなく生体情報を得ることができる画像診断装置用寝台に関する。
【背景技術】
【０００２】
従来、呼吸、心拍などの生体情報は各種センサを被検体に装着して測定していた。例えば、呼吸の測定では被検体の腰部に帯状のベルトを装着し、被検体の体動を力学的に捉えて呼吸信号を得るものがある。その呼吸測定用器具は、帯状のベルトと張力センサとから構成され、呼吸により腹部が上下することで腹部のベルト重ね合わせ部分が引っ張られた後、引き戻される際の張力変化を張力センサによりモニターするものである。
【０００３】
そして、この張力センサにより得られる信号は被検体の呼吸を反映しており、呼吸同期による画像収集のためのトリガー信号の生成等に用いられる。
【０００４】
また、最近では、健康管理モニターの目的で睡眠時の心拍数、呼吸数などをベッドに取り付けた圧力センサで検出することにより、被検体に負担をかけることなく、呼吸、心拍などを検出するようにしたベッドが報告されている（例えば、特許文献１参照。）。
【特許文献１】特開平１１−２８１９５号公報（第３−４頁、図１）
【発明の開示】
【発明が解決しようとする課題】
【０００５】
画像診断の際に行われる生体情報の測定は、呼吸、心拍などの生体信号を取り出すためのセンサを装着する必要があるので、患者に身体的、精神的な負担を強いることになり、生体情報測定の妨げになることがある。また、予め診断室で行うかわざわざ画像診断室への測定器具の持込及び装着という煩わしさもあり、このため、緊急時には迅速な対応ができなかった。
【０００６】
更に、画像診断時には、呼吸を停止させて画像撮影を行う必要があっても、技師が患者に呼吸停止を依頼するだけで、実際に呼吸を停止しているかどうかは、患者を直接観察する以外に方法はなかった。
【０００７】
本発明は、上記問題点を解決するためになされたもので、患者に負担をかけ意識させることなく、簡単に呼吸、心拍及び体動等の生体情報を測定し、且つ同時に画像撮影が可能な画像診断装置用寝台を提供することを目的とする。
【課題を解決するための手段】
【０００８】
上記問題を解決するために、本発明による画像診断装置用寝台は、被検体が載置される天板と、この天板を駆動する駆動手段と、前記天板上に移動可能に配置され、前記被検体から受ける生体情報圧力の変動を検出するセンサユニットを備えたセンサユニット部と、前記センサユニット部のセンサユニットが検出した生体情報圧力の変動を処理する圧力信号処理手段と、この圧力信号処理手段で処理した生体情報を表示する表示手段とから成ることを特徴とする。
【発明の効果】
【０００９】
本発明によれば、画像診断装置用寝台に呼吸、心拍及び体動等を検出する検出器を取り付けることにより、患者に負担をかけることなく簡単に生体情報を測定し且つ同時に精度よく画像撮影を行うことが可能となる。
【００１０】
また、生体情報の検出器を温度調整することにより、高齢者や患部を冷やすと痛みを伴う患者に対して配慮を行うことができる。
【発明を実施するための最良の形態】
【００１１】
以下に、本発明の実施例による画像診断装置用寝台を説明する。
【実施例１】
【００１２】
図１は、本発明の実施例１に係る画像診断装置用寝台の構成を示している。この画像診断装置用寝台１は、被検体を載置する天板４２と、天板４２を駆動する寝台駆動部４１と、天板４２と被検体Ｐの間に配置され、被検体Ｐからの圧力を検出するセンサユニット部１０と、センサユニット部１０の圧力を圧力センサ部２０に伝えるチューブ１５と、センサユニット部１０の圧力を検出し電気信号に変換する圧力センサ部２０と、圧力センサ部２０からの信号を処理する信号処理部３０と、生体情報の測定結果を表示する表示ユニット４５と、画像診断装置用寝台１全体を制御する寝台制御部４０と、寝台駆動部４１の動作、生体情報収集及び表示させるための操作を行う操作ユニット４６からなる。
【００１３】
寝台駆動部４１は、寝台を上下する寝台上下駆動ユニット４３と、天板４２をその長手方向に水平駆動する天板水平駆動ユニット４４からなり、画像撮影に際し天板４２に載置された被検体Ｐが最適な位置になるように天板４２を移動する。
【００１４】
センサユニット部１０は、天板４２上に天板４２の長手方向に対して直交するように複数個のセンサユニット１１乃至１４を互いに離間して移動可能に配置して構成され、被検体Ｐから受ける圧力を検出し、チューブ１５を介して圧力センサ部２０に伝える。
【００１５】
なお、センサユニット部１０が天板４２の長手方向に対して直交するというのは、ほぼ直交するのを含むものである。
【００１６】
そして、センサユニット１１乃至１４は、夫々被包とこの被包内に封入された封入体例えば空気等から構成され、その被包材質はＸ線透過に優れたウレタン、ビニールレザーなどからなり、被検体Ｐからの圧力変動に対応して内部の圧力が変動するように適度の弾力を有するものが使用される。
【００１７】
なお、センサユニット１１乃至１４の内部に空気を封入することにより、センサユニット１１乃至１４の表面と被検体Ｐの体表面の密着がよくなり、被検体Ｐからの呼吸、心拍及び体動に伴う圧力変動をセンサユニット１１乃至１４内の空気圧変動に変換し、圧力センサ２１乃至２４に伝えることができる。
【００１８】
チューブ１５は中空になっており可撓性と弾性を有し、Ｘ線透過性のあるウレタンなどでできており、その一端がセンサユニット部１０のセンサユニット１１乃至１４に、他端が圧力センサ部２０の圧力センサ２１乃至２４に夫々接続され、センサユニット部１０で検出された被検体Ｐの圧力及びその変動を圧力センサ部２０に伝えるように構成されている。
【００１９】
圧力センサ部２０は、圧力センサ２１乃至２４からなり、夫々センサユニット１１乃至１４に対応し、例えば半導体あるいは低周波コンデンサマイクロホンなどの圧力センサにより、被検体Ｐの呼吸、心拍、体動等による微小な圧力変動が検出できるようになっている。そして、圧力センサ部２０で検出された圧力は電気信号に変換され、信号処理部３０へ送られる。
【００２０】
信号処理部３０は、圧力センサ部２０の圧力センサ２１乃至２４に夫々対応した信号処理ユニット３１乃至３４からなり、圧力センサ部２０から送られてきた信号を受信し処理した後、寝台制御部４０へ送る。
【００２１】
信号処理ユニット３１乃至３４には、被検体Ｐの体表面から伝わる呼吸、心拍及び体動による圧力変動や、その他様々な振動による圧力が加わり、これらがノイズとして呼吸、心拍及び体動の信号に重なった信号として送られてくる。しかし呼吸及び心拍は周期的であり、体動は周期性がないが呼吸よりも周波数が低い信号であることから、呼吸、心拍及び体動による周波数よりも高いノイズ信号を除去するために、バンドパスフィルタが設けられている。
【００２２】
そして、バンドパスフィルタで除去された信号は、周波数解析された後、更にノイズ低減処理されて呼吸、心拍、体動の信号に分離されて寝台制御部４０に送られる。
【００２３】
寝台制御部４０では、呼吸数及び呼吸波形、心拍数及び心拍波形、所定の範囲を超えた信号の数、そのレベル及び体動波形のデータ等が表示ユニット４５へ送られる。
【００２４】
表示ユニット４５では、ＣＲＴ、液晶等によって、呼吸は呼吸数またはリアルタイムに呼吸波形として、心拍は心拍数またはリアルタイムに心拍波形として、更に、体動は所定の範囲を超えた信号レベル数、信号レベルまたはリアルタイムに体動波形としてこれ等生体情報が、操作ユニット４６の指示に従って、センサユニット毎に同時にあるいは指定された特定の生体情報のみ表示される。
【００２５】
寝台制御部４０は、寝台駆動部４１、信号処理部３０、表示ユニット４５及び操作ユニット４６の制御を行う。
【００２６】
このように、センサユニット部２０の圧力変動に基づいて、測定された生体情報をリアルタイムで定量的にモニターできるので、被検体Ｐの体動による撮影ミスを防ぐことができ、簡単に精度よく呼吸に同期した画像撮影が可能になる。
【００２７】
また、画像撮影に際し、心拍不良などの生体情報から体調異常も発見できるので、直ぐに撮影を中止することができ、被検体Ｐの安全確保に役立つ。
【００２８】
図２は、図１に示したセンサユニット部１０のセンサユニット１１乃至１４を、天板４２の上面で、被検体Ｐの下部の所定位置に配置し固定した状態を示している。
【００２９】
図２（ａ）は、例えば被検体Ｐが天板４２の長手方向に頭部をユニットセンサ１１側に向けて伏臥位（或いは仰臥位）に載置された場合、生体情報を感度よく検出できる配置を示している。
【００３０】
例えば、センサユニット１１が、被検体Ｐの前頭部あるいは側頭部（または後頭部）の位置に配置されることにより、主に被検体Ｐの頭部の体動による生体情報が感度よく得られる。
【００３１】
センサユニッ１２が、被検体Ｐの胸部（或いは胸部に対応した背部）の位置に配置されることにより、主に被検体Ｐの心拍に伴う生体情報が感度よく得られる。
【００３２】
センサユニット１３が、被検体Ｐの腹部（或いは腹部に対応した背部）の位置に配置されることにより、主に被検体Ｐの呼吸に伴う生体情報が感度よく得られる。
【００３３】
そして、センサユニット１４が、被検体Ｐの足の甲部（足の踵部）の位置に配置されることにより、主に被検体Ｐの体動による生体情報が感度よく得られる。
【００３４】
以上説明したように、天板４２上全面にセンサユニットを載置することなく、体重の最もかかる腰部を避けて被検体Ｐの要所にセンサユニットを配置することにより、安定した姿勢で生体情報を得ることができる。また、図２（ｂ）で後述するように、センサユニット１１乃至１４は、配置変更が簡単にでき、且つ空気を内包した弾性体なので測定部位との密着性を保ちやすいので、被検体Ｐの仰臥位、伏臥位あるいは側臥位などの体位を、最も安定した姿勢を保持した状態で配置することが可能である。
【００３５】
図２（ｂ）は、センサユニット１１乃至１４を天板４２上面に取り付ける方法を、センサユニット１１を例にとって示している。
【００３６】
センサユニット１１は、被検体Ｐの圧力を検出する天板４２上面に載置されるエアーセル１１ａと、このエアーセル１１ａの両端部に連結されたエアーセル１１ａを天板４２に固定するエアーセル固定具１１ｂからなり、エアーセル１１ａの両端のエアーセル固定具１１ｂで天板４２を挟み込むことにより天板４２に取り付けられる。
【００３７】
また、センサユニット１１は、被検体Ｐの体形により適切な場所に、天板４２を移動できるようになっている。
【００３８】
尚、寝台の構造上、センサユニット１１を天板４２の両側に天板４２の幅以上にはみ出して固定具を取り付ける余裕がない場合には、エアーセル１１ａの底部に繰り返し着脱可能でＸ線透過性のあるウレタン粘着素材を利用した粘着シートを取り付けておき、天板４２から容易に着脱できるように設置する方法も可能である。
【００３９】
以上説明したように、Ｘ線診断装置、Ｘ線ＣＴ装置、ＭＲＩ装置などの画像診断の際に、被検体Ｐに直接生体情報測定器具を取り付ける必要がなく、被検体Ｐの身長、体形に合わせて適所にセンサユニットを配置できるので、被検体を寝台に載置するだけで、被検体の姿勢を安定に保ち且つ簡単に生体情報を測定することができる。
【００４０】
本発明は、上記実施例に限定されるものではなく、例えば、被検体Ｐの足元における体動情報を必要としない場合には、センサユニット部１０のセンサユニット１４、圧力センサ２４及び信号処理ユニット３４を、画像診断装置用寝台１の天板４２から外すことも可能である。
【００４１】
また、被検体Ｐの身長に合わせて、センサユニット部１０を適宜移動することができ、体形に合わせてセンサユニットの形状を変更することも可能である。
【００４２】
更に、被検体Ｐの身体の、より広範囲な生体情報が必要な場合には、センサユニット、圧力センサ及び信号処理ユニットの一式を追加配置することも可能である。
【実施例２】
【００４３】
図３は、本発明の実施例２に係る画像診断装置用寝台の構成を示している。図３に示した実施例２が図１における実施例１と異なる点は、センサユニット１２及び１３の温度を制御する温度制御ユニット５１及び５２を追加配置している点である。
【００４４】
温度制御ユニット５１は、図示しないがファンと、ニクロム線あるいはセラミックスヒータなどの発熱体と、サーミスタなどの温度センサと、センサユニット１２に着脱可能に接続された２つの中空のウレタンチューブと、温度制御回路等からなり、温度制御ユニット５１内部及びセンサユニット１２に着脱可能に接続されたチューブの接続部から内部の空気が外に漏れないようになっている。
【００４５】
そして、寝台制御部４０の指示に基づいて、温度制御ユニット５１はセンサユニット１２内の空気が所定の温度になるように、温度制御ユニット５１とセンサユニット１２間の内部の空気を循環させる。
【００４６】
また、センサユニット１３は、センサユニット１２と同様に温度制御ユニット５２により、所定の温度になるように制御される。
【００４７】
このように、生体情報の測定を行いながら、センサユニット内の圧力検出用の空気を利用して測定部位の温度を調整することにより、高齢者や、冷やすと患部に痛みを伴う被検体Ｐに対して苦痛を和らげることができる。
【００４８】
本発明は、上記以外にも種々変形して実施することができる。例えば、足元が冷えやすい被検体Ｐにはセンサユニット１４に温度制御ユニットを追加配置することも可能である。
【図面の簡単な説明】
【００４９】
【図１】本発明の画像診断装置用寝台の構成を示す図。
【図２】本発明のセンサユニットの配置と固定方法を示す図。
【図３】本発明の画像診断装置用寝台のセンサユニットの温度制御手段を示す図。
【符号の説明】
【００５０】
Ｐ  被検体
１  画像診断装置用寝台
１０  センサユニット部
１１  センサユニット
１２  センサユニット
１３  センサユニット
１４  センサユニット
４５  表示ユニット
５１  温度制御ユニット
５２  温度制御ユニット
【図１】
2005143661.tif 000003
【図２】
2005143661.tif 000004
【図３】
2005143661.tif 000005